(57)【要約】【課題】ボタンの押下によりベース上面に固定接片上を摺動する可動接片を配設したロータを回転させ電路の切替を行うプッシュロータリスイッチに係り、前記ボタンを第一ボタンと第二ボタンの二つに分割し、該第一ボタンと該第二ボタンの押下により前記ロータを正逆方向に回転可能とするプッシュロータリスイッチを提供することを目的とする。【解決手段】ベース１１と嵌合するハウジング３の開口部３ａに第一ボタン１と第二ボタン２を配設し、ロータ９と前記ボタン間に凹凸係合する切換子４と回転子５を設け、該回転子５の外側面および内側面に前記第一ボタン１および前記第二ボタン２に対応した第一凹凸カム５ｃおよび第二凹凸カム５ｂを設けることにより前記ロータ９を正逆方向に回転可能としたため、設定したいポジションよりも前記ロータ９を過回転させてしまった場合でもそのまま一回転させることなく設定したいポジションまで逆回転することができる。【選択図】      図２
2007172955.tif 000002
【特許請求の範囲】
【請求項１】
ベースに固定接片と端子を配備し、前記ベース上面に前記固定接片上を摺動する可動接片を配設したロータを配備し、前記ベースと嵌合するハウジングの上方よりボタンを押下することにより前記ロータを回転させ電路の切替を行うプッシュロータリスイッチにおいて、前記ハウジングの開口部に第一ボタンと第二ボタンを配設し、前記ロータと前記ボタン間に凹凸係合する切換子と回転子を設け、前記切換子を前記ハウジング内に固定するとともに前記回転子の外側面および内側面に前記第一ボタンおよび前記第二ボタンに対応した凹凸カムそれぞれを設けたことを特徴とするプッシュロータリスイッチ。
【請求項２】
前記第一ボタン内側下面および前記第二ボタン内側下面に舌片部をそれぞれ設け、前記第一ボタンと前記第二ボタンをまたがる下面中央と前記滑動棒間にコイルバネを配設したことを特徴とする請求項１記載のプッシュロータリスイッチ。
【請求項３】
前記ロータ上面に複数の凹部を設け、前記ボタン押下時に複数の凸部を有する前記回転子が該凹部に係合し、前記凹凸カムにより前記ロータが正逆方向に回転することを特徴とした請求項１記載のプッシュロータリスイッチ。
【発明の詳細な説明】
【技術分野】
【０００１】
本発明は、ボタンの押下によりベース上面に固定接片上を摺動する可動接片を配設したロータを回転させ電路の切替を行うプッシュロータリスイッチに係り、前記ベースと嵌合するハウジングの開口部に第一ボタンと第二ボタンを配設し、前記ロータと前記ボタン間に凹凸係合する切換子と回転子を設け、前記回転子の外側面および内側面に前記第一ボタンおよび前記第二ボタンに対応した凹凸カムを設けることにより前記ロータを正逆方向に回転可能とするプッシュロータリスイッチに関する。
【背景技術】
【０００２】
従来のプッシュロータリスイッチは図７に示すように複数の固定接触片１０７を植設し、接触端子１０９を配設したベースと、該固定接触片１０７と接触するプッシュロータリスイッチ用可動接点回路を形成したプリント基板１０６をベース上に載置し、プリント基板１０６と連結した回転軸１０３をスイッチ本体を形成するハウジング１０１に貫通させて該ハウジング１０１の嵌合孔部１０２に前記ベースの嵌合凸部１０８を嵌合し、前記回転軸１０３を回動させることにより前記プリント基板１０６を連動して回路の切替設定を行うプッシュロータリスイッチの前記回転軸１０３の軸方向に中空部を設けて押下軸１０４を上下動自在に設け、前記プリント基板１０６のプッシュロータリスイッチ用可動接点回路形成面の裏面に押しボタンスイッチ用接点回路を形成して前記プッシュロータリスイッチ用可動接点回路と表裏接続させるとともに、前記押しボタン用接点回路に湾曲上の可動接片１０５を載置して前記押下軸１０４の略中心部を下方に向かって凸部が形成されており、押下軸１０４の押下力は前記凸部により前記可動接片１０５を反転させ押ボタンスイッチ用接点回路を閉成させていた。
【特許文献１】特願平１１−７８８３８
【発明の開示】
【発明が解決しようとする課題】
【０００３】
しかしながら、前記プッシュロータリスイッチは回転軸１０３が一方向にしか回転しない構造であったため、一度該回転軸１０３を回転させてしまうと元のポジションに戻すのに同一方向に一回転させる必要があった。また設定したいポジションに前記回転軸１０３を回転させ、誤って過回転させてしまった場合においても同一方向に前記回転軸１０３をさらにもう一回転させる必要があった。
そこで本発明のプッシュロータリスイッチは内部構造に特徴を持たせ、接点の切替を正逆回転可能とすることにより設定したいポジションまでボタンを押下して誤って過回転させてしまった場合でも設定したいポジションまで戻すことができるプッシュロータリスイッチを提供することを目的とする。
【課題を解決するための手段】
【０００４】
本発明は上記目的を達成するため、ボタンの押下によりベース上面に固定接片上を摺動する可動接片を配設したロータを回転させ電路の切替を行うプッシュロータリスイッチに係り、前記ベースと嵌合するハウジングの開口部に第一ボタンと第二ボタンを配設し、前記ロータと前記ボタン間に凹凸係合する切換子と回転子を設け、前記回転子の外側面および内側面に前記第一ボタンおよび前記第二ボタンに対応した凹凸カムを設けることにより前記ロータを正逆方向に回転可能とする。
【発明の効果】
【０００５】
（１）本発明のプッシュロータリスイッチはハウジングの開口部に第一ボタンと第二ボタンを配設し、回転子の外側面および内側面に前記第一ボタンおよび前記第二ボタンに対応した凹凸カムをそれぞれを設けたため接点の切替を正逆回転可能とした。よって従来のプッシュロータリスイッチに比べ、設定したいポジションまで回転軸を回転させ、誤って過回転させてしまった場合でもそのまま一回転させることなく設定したいポジションまで戻すことができる。
（２）第一ボタン内側下面および前記第二ボタン内側下面に舌片部をそれぞれ設け、前記第一ボタンと前記第二ボタンをまたがる下面中央と前記滑動棒間にコイルバネを配設したため通常の押ボタンスイッチのようにボタンの復帰に要するコイルバネと電路の切替のために滑動棒に挿入されるコイルバネの２種類を用意する必要がない。よってコイルバネ１つでボタンの復帰および電路の切替を行うことができるため、部品点数を減らしコストの削減を図ることができる。
（３）ロータ上面に複数の凹部を設け、鍔部に複数の凸部を有する回転子を該凹部にあらかじめ係合させた構造とすることにより固定接片と可動接点の接触する位置を決めることができ、外部からの衝撃に強い接触の安定したプッシュロータリスイッチを提供することができる。
（４）ロータ上面の凹部と回転子下面の凸部において上下動する摺動部と可動接片がベース上面を回転する接点部が別々に存在するので摺動部で発生する成形材料の削り粉が接点部に入り込まず接触不良を起こすことがない。
【発明を実施するための最良の形態】
【０００６】
本発明のプッシュロータリスイッチは、ボタンの押下によりベース上面に固定接片上を摺動する可動接片を配設したロータを回転させ電路の切替を行うプッシュロータリスイッチに係り、前記ベースと嵌合するハウジングの開口部に第一ボタンと第二ボタンを配設し、前記ロータと前記ボタン間に凹凸係合する切換子と回転子を設け、前記回転子の外側面および内側面に前記第一ボタンおよび前記第二ボタンに対応した第一凹凸カムおよび第二凹凸カムを設けることにより前記ロータを正逆方向に回転可能としたため設定したいポジションよりも前記ロータを過回転させてしまった場合でもそのまま一回転させることなく設定したいポジションまで戻すことができる。また、第一ボタン内側下面および前記第二ボタン内側下面に舌片部をそれぞれ設け、前記第一ボタンと前記第二ボタンをまたがる下面中央と前記滑動棒間にコイルバネを配設する構造としたため、該コイルバネ１つでボタンの復帰および電路の切替を行うことができ、部品点数を減らした安価で正逆回転可能なプッシュロータリスイッチを提供することができる。
【実施例】
【０００７】
以下、本発明の実施例について、図面を参照しながら詳細に説明する。
【０００８】
図１は本発明のプッシュロータリスイッチの分解斜視図、図２（ａ）は本発明のプッシュロータリスイッチの断面図、図２（ｂ）は本発明のプッシュロータリスイッチの第一ボタンを押下した時の断面図、図３（ａ）は本発明のプッシュロータリスイッチの回転子の平面図、図３（ｂ）は図３（ａ）のＣ−Ｃ’で切断した本発明のプッシュロータリスイッチの回転子の断面図、図３（ｃ）は図３（ａ）のＤ方向から見た本発明のプッシュロータリスイッチの回転子の側面図である。
【０００９】
これらの図において、ハウジング３上部には第一ボタン１および第二ボタン２を配設するための開口部３ａを設け、下部にはベース１１と嵌合するために貫通孔３ｂおよび略円周上の段部３ｃが形成されている。前記ハウジング３には下方から略円柱状で内部が空洞で角片４ａが形成された切換子４が配設される。該切換子４内側面には前記第一ボタン１および第二ボタン２押下時に該第一ボタン１の軸１ａおよび該第二ボタン２の軸２ａ側面に設けた凸部１ｄ、凸部２ｄを配置するための溝部４ｂが設けられており、該溝部４ｂにより前記第一ボタン１および前記第二ボタン２を押下し過ぎることがない。
【００１０】
前記切換子４下方には略円柱状で鍔部５ｄおよび該鍔部５ｄ下面に設けた凸部５ｆを有し内部が空洞の回転子５を配設する。該回転子５の円柱部５ｅ上面には前記切換子４内側面下部に設けた角片４ａと噛み合うように角片５ａが形成される。また前記円柱部５ｅ外側面および内側面には前記第一ボタン１の軸１ａおよび前記第二ボタン２の軸２ａにそれぞれ押下される第一凹凸カム５ｃおよび第二凹凸カム５ｂが複数個設けられる。該第一凹凸カム５ｃおよび該第二凹凸カム５ｂの傾斜角は前記第一ボタン１押下時には前記回転子５が正回転、前記第二ボタン２押下時には前記回転子５が逆回転するように形成されており、該傾斜角により前記第一ボタン１押下時には前記回転子５を逆回転、前記第二ボタン２押下時には前記回転子５を正回転させることも可能である。
【００１１】
前記回転子５の略中央には内部にコイルバネ６が配設された滑動棒７が挿入される。また、前記回転子５下方には略中央に円状の溝部９ｂが形成され該溝部９ｂ外周に複数の凹部９ａが形成されたロータ９が前記溝部９ｂにコイルバネ８を配設した状態で前記ハウジング３下部内側の段部３ｃに配設される。また前記凹部９ａには前記回転子５における鍔部５ｄ下面の凸部５ｆが途中まで挿入され係合された状態となっている。
【００１２】
前記ロータ９の下面には縦溝（図示なし）が設けられており該縦溝には可動接片１０が嵌入されている。前記ロータ９の下方にはインサート成形により固定接片１１ａと端子１１ｃが配備されたベース１１が配設される。配設は該ベース１１側面の凸片１１ｂが前記ハウジング３の貫通孔３ｂに凹凸嵌合されることにより行われる。これにより該ベース１１の落下を防ぐことができる。最後に前記滑動棒７に配設した前記コイルバネ６に上方から前記第一ボタン１および前記第二ボタン２の内側下面にそれぞれ設けた舌片部１ｂ、舌片部２ｂを前記回転子略中央の空洞を通して挿入する。これにより前記第一ボタン１および前記第二ボタン２を押下しても前記コイルバネ６の弾性力により元の位置に復帰することができる。また、前記第一ボタン１および前記第二ボタン２には下面に板バネ１ｃ、板バネ２ｃが一体成形されているので前記第一ボタン１および前記第二ボタン２のいずれか一方を押下したとき他の一方が付随して下方に落ちることがない。
【００１３】
上記のような構造で第一ボタン１を押下すると図２（ｂ）に示すように板バネ１ｃおよびコイルバネ６が収縮され、同時に前記第一ボタン１の軸１ａが前記回転子５円柱部５ｅ外側の第一凹凸カム５ｃを押下することにより前記回転子５を押し下げ、該回転子５の凸部５ｆが前記ロータ９の凹部９ａに挿入される。さらに前記軸１ａ先端と前記第一凹凸カム５ｃには両者が噛み合うようにそれぞれ傾斜角が施されているため前記回転子５が一定方向に回転する構造となっている。該回転子５が回転すると前記凹部９ａに前記凸部５ｆが挿入されたロータ９も同時に回転する。これにより該ロータ９下面に嵌入された可動接片１０も回転し前記ベース１１上面に配設された固定接片１１ａ上を摺動することにより電路の切替を行う。
【００１４】
前記第一ボタンが押下され、ポジションが切り替わる様子を示すため、図２（ａ）におけるＡ−Ａ’の断面を簡略化した図を図４（ａ）、図４（ｂ）、図４（ｃ）、図４（ｄ）に示す。図４（ａ）は第一ボタン１を押下する前を示し、この状態では切換子４の角片４ｃ、４ｄ、４ｅと回転子５の角片５ｇ、５ｈ、５ｉがそれぞれ噛み合っている。そして前記第一ボタン１が押下されると図４（ｂ）のように前記回転子５の第一凹凸カム５ｃが押下され下方に移動すると同時に前記第一ボタン１と前記第一凹凸カム５ｃの傾斜角により正回転をはじめ、さらに前記第一ボタン１が完全に下方まで押下されると図４（ｃ）のように前記回転子５の角片５ｇ、５ｈ、５ｉが該回転子５の横幅分正回転し、次のポジション下方へと移動する。そして図４（ｄ）のようにコイルバネ８の弾性力により上方に復帰し、次のポジションで切換子４の角片４ｄ、４ｅ、４ｆと回転子５の角片５ｇ、５ｈ、５ｉがそれぞれ噛み合う。
【００１５】
次に、第二ボタンを押下したときの様子を示すため図５（ａ）に本発明のプッシュロータリスイッチの断面図、図５（ｂ）に本発明のプッシュロータリスイッチの第二ボタンを押下した時の断面図を示す。図５（ａ）、図５（ｂ）に示すように第二ボタン２を押下すると先に示した第一ボタン押下時と同様に板バネ２ｃおよびコイルバネ６が収縮され、同時に前記第二ボタン１の軸２ａが前記回転子５円柱部５ｅ内側の第二凹凸カム５ｂを押下することにより前記回転子５を押し下げ、該回転子５の凸部５ｆが前記ロータ９の凹部９ａに挿入される。さらに前記軸２ａ先端と前記第二凹凸カム５ｂには両者が噛み合うようにそれぞれ傾斜角が施されているため、前記回転子５が先に示した第一ボタン押下時と逆方向に回転する構造となっている。該回転子５が逆方向に回転すると前記凹部９ａに挿入されたロータ９も同時に回転する。これにより該ロータ９下面に嵌入された可動接片１０も回転し前記ベース１１上面に配設された固定接片１１ａ上を摺動することにより電路の切替を行う。
【００１６】
前記第二ボタンが押下され、ポジションが切り替わる様子を示すため、図５（ａ）におけるＢ−Ｂ’の断面を簡略化した図を図６（ａ）、図６（ｂ）、図６（ｃ）、図６（ｄ）に示す。図６（ａ）は第二ボタン２を押下する前を示し、この状態では切換子４の角片４ｄ、４ｅ、４ｆと回転子５の角片５ｈ、５ｉ、５ｊがそれぞれ噛み合っている。そして前記第二ボタン２が押下されると図６（ｂ）のように前記回転子５の第二凹凸カム５ｂが押下され下方に移動すると同時に前記第二ボタン２と前記第二凹凸カム５ｂの傾斜角により逆回転をはじめ、さらに前記第二ボタン２が完全に下方まで押下されると図６（ｃ）のように前記回転子５の角片５ｈ、５ｉ、５ｊが該回転子５の横幅分逆回転し、次のポジション下方へと移動する。そして図６（ｄ）のようにコイルバネ８の弾性力により上方に復帰し、次のポジションで切換子４の角片４ｃ、４ｄ、４ｅと回転子５の角片５ｈ、５ｉ、５ｊがそれぞれ噛み合う。
【００１７】
本発明のプッシュロータリスイッチは上記の実施例以外にも本発明の趣旨に基づいて種々の変形が可能である。例えば、第一ボタンおよび第二ボタンに一体成形した板バネの代わりにコイルバネを配設したり、軸先端の傾斜角および凹凸カムの傾斜角を変えることにより第一ボタンを押下すると逆回転、第二ボタンを押下すると正回転とすることもできる。また、ボタンの数についても本発明のように第一ボタンと第二ボタンの２つだけではなく第三ボタン、第四ボタンと増加させることも可能である。このように本発明の趣旨に基づいて種々の変形が可能であり、これらを本発明の方法の範囲から排除するものではない。
【産業上の利用可能性】
【００１８】
本発明のプッシュロータリスイッチは、ベースと嵌合するハウジングの開口部に第一ボタンと第二ボタンを配設し、前記ロータと前記ボタン間を角片によって噛み合う切換子と回転子を設け、前記回転子の外側面および内側面に前記第一ボタンおよび前記第二ボタンに対応した凹凸カムを設けることにより前記ロータを正逆方向に回転可能としたため設定したいポジションよりも前記ロータを過回転させてしまった場合でもそのまま一回転させることなく設定したいポジションまで戻すことができる。また、第一ボタン内側下面および前記第二ボタン内側下面に舌片部をそれぞれ設け、前記第一ボタンと前記第二ボタンをまたがる下面中央と前記滑動棒間にコイルバネを配設する構造としたため該コイルバネ１つでボタンの復帰および電路の切替を行うことができ、部品点数を減らした安価なプッシュロータリスイッチを提供することができる。
【図面の簡単な説明】
【００１９】
【図１】本発明のプッシュロータリスイッチの分解斜視図である。
【図２】本発明のプッシュロータリスイッチの第一ボタン押下前後の正面断面図である。
【図３】本発明のプッシュロータリスイッチの回転子の平面図および断面図および側面図である。
【図４】本発明のプッシュロータリスイッチの図２（ａ）におけるＡ−Ａ’の断面を簡略化した図である。
【図５】本発明のプッシュロータリスイッチの第二ボタン押下前後の正面断面図である。
【図６】本発明のプッシュロータリスイッチの図５（ａ）におけるＢ−Ｂ’の断面を簡略化した図である。
【図７】従来のプッシュロータリスイッチの断面図である。
【符号の説明】
【００２０】
１  第一ボタン
１ａ、２ａ  軸
１ｂ、２ｂ  舌片部
１ｃ、２ｃ  板バネ
１ｄ、２ｄ、５ｆ  凸部
２  第二ボタン
３、１０１  ハウジング
３ａ  開口部
３ｂ  貫通孔
３ｃ  段部
４  切換子
４ａ、４ｃ、４ｄ、４ｅ、４ｆ、５ａ、５ｇ、５ｈ、５ｉ、５ｊ  角片
４ｂ、９ｂ  溝部
５  回転子
５ｂ  第二凹凸カム
５ｃ  第一凹凸カム
５ｄ  鍔部
５ｅ  円柱部
６、８  コイルバネ
７  滑動棒
９  ロータ
９ａ  凹部
１０、１０５  可動接片
１１  ベース
１１ａ  固定接片
１１ｂ  凸片
１１ｃ  端子
１０２  嵌合孔部
１０３  回転軸
１０４  押下軸
１０６  プリント基板
１０７  固定接触片
１０８  嵌合凸部
１０９  接触端子
【図１】
2007172955.tif 000003
【図２】
2007172955.tif 000004
【図３】
2007172955.tif 000005
【図４】
2007172955.tif 000006
【図５】
2007172955.tif 000007
【図６】
2007172955.tif 000008
【図７】
2007172955.tif 000009